(57)【要約】【課題】  袖立の芯材を覆うマット状部材の取付作業、交換作業を楽に、また簡単、迅速にできるようにする。【解決手段】  本発明のカバー１は、シャツ２の袖２ａを被せる袖立３の筒状芯材４に巻き付けるマット状部材５を覆うものである。本発明品は、上記のマット状部材５を抱えて支持するバンド６を備えて形成する。このバンド６を、カバー１の裏側で、且つ芯材４の周方向に対応する短幅方向の中央位置に、カバー１の長手方向の一端から他端に渡しかけて設ける。【選択図】      図１
2016150176.tif 000002
【特許請求の範囲】
【請求項１】
シャツの袖を被せる袖立の筒状芯材に巻き付けるマット状部材のカバーであって、上記のマット状部材を抱えて支持するバンドを備え、このバンドが、カバーの裏側で、且つ芯材の周方向に対応する短幅方向の中央位置に、カバーの長手方向の一端から他端に渡しかけられて設けられていることを特徴とする袖立のマット状部材のカバー。
【請求項２】
請求項１記載の袖立のマット状部材のカバーであって、カバーが、クッション質に形成されていることを特徴とする袖立のマット状部材のカバー。
【請求項３】
請求項１又は２記載のカバーが使用されている袖立であって、カバーが、マット状部材を備えてバンドの幅面を横断面楕円形の芯材の短径方向と平行になるよう向けて芯材に巻き付けられていることを特徴とする袖立。
【発明の詳細な説明】
【技術分野】
【０００１】
本発明は、洗濯したワイシャツ等のシャツの袖を、袖立に被せてプレス仕上げするタイプの袖仕上げ機に関し、更に詳しくはシリコンマット等のマット状部材を袖立の芯材に巻き付け易くするためのマット状部材のカバー及びこのカバーを装着している袖立に関するものである。
【背景技術】
【０００２】
従来、この種の仕上げ機の袖立としては、例えば特許文献１に記載されているものがある。この袖立は、金属製の筒状芯材の外周にシリコンマットが巻き付けられ、その外周にパッドが重合され、全体が、エアで膨張する空気袋付きのカバーで覆われている。
【０００３】
而して、この種の仕上げ機において、パッドやカバーは、スチームや、袖に施されている洗濯糊を吸って汚れ易いものである。従って、パッド等は定期的に交換する必要がある。
【０００４】
この場合、シリコンマット等のパッドは、通常、厚みがあって重たいため、芯材に巻き付けるとき、ズレ落ち易い、という問題がある。従って、従来は、この種のパッドの取付作業、交換作業に煩わしさを伴い、手間暇がかかり易いものであった。
【先行技術文献】
【特許文献】
【０００５】
【特許文献１】実開平１−１６４９９７号公報
【発明の概要】
【発明が解決しようとする課題】
【０００６】
本発明は、このような従来技術の問題点に鑑み、提案されたものである。
従って、本発明の解決しようとする技術的課題は、袖立の芯材を覆うマット状部材の取付作業、交換作業を楽に、また簡単、迅速にできるように形成した袖立のマット状部材のカバー及びこのカバーを装着した袖立を提供することにある。
【課題を解決するための手段】
【０００７】
本発明は、上記の課題を解決するため、次のような技術的手段を採る。
即ち、本発明は、図１等に示されるように、シャツ２の袖２ａを被せる袖立３の筒状芯材４に巻き付けるマット状部材５のカバー１であって、上記のマット状部材５を抱えて支持するバンド６を備え、このバンド６が、カバー１の裏側で、且つ芯材４の周方向に対応する短幅方向の中央位置に、カバー１の長手方向の一端から他端に渡しかけられて設けられていることを特徴とする（請求項１）。
【０００８】
ここで、マット状部材５とは、弾力性を有する多少の厚みのある面状材を意味し、具体的には例えばシリコンマット、硬質ウレタンマット、ゴムシートなどがある。バンド６は、通常、布等で形成されるが、材質や幅は任意である。
【０００９】
而して、本発明は、カバー１が、クッション質に形成されているのが好ましい（請求項２）。
【００１０】
なぜならこれによると、カバー１が、マット状部材５と相まってプレス圧を受け止め、プレス時の衝撃を緩和できるからである。
【００１１】
また本発明の袖立３としては、請求項１又は２記載のカバー１がマット状部材５を備えた状態でバンド６の幅面を横断面楕円形の芯材４の短径方向と平行になるよう向けて芯材４に巻き付けられていることを特徴とするものがある（請求項３）。
【発明の効果】
【００１２】
本発明は、このようにマット状部材を抱えて支持するバンドを備え、このバンドが、カバーの裏側で、且つ芯材の周方向に対応する短幅方向の中央位置に、カバーの長手方向の一端から他端に渡しかけられて設けられている。
【００１３】
従って、本発明のカバーは、バンドがマット状部材を抱えて支持するため、これによれば、マット状部材を袖立の芯材に巻き付けるとき、重たいマット状部材のズレ落ちを防止でき、マット状部材の取付作業や交換作業を楽に、また簡単、迅速にできる。
【００１４】
また本発明の袖立は、カバーが、マット状部材を備えた状態でバンドの幅面を横断面楕円形の芯材の短径方向と平行になるよう向けて装着されている。
従って、プレス鏝が押圧する箇所である袖の両側面に、バンドやカバーの巻き付け端が配置されていないから、これによれば、鏝痕を袖に付けることなく、袖を綺麗に仕上げることができる。
【図面の簡単な説明】
【００１５】
【図１】本発明の好適な一実施形態を示し、Ａはカバーの背面図、Ｂは図２の１Ｂ−１Ｂ線における断面図である。
【図２】袖立の要部側面図である。
【図３】シャツの袖仕上げ機の斜視図である。
【図４】図１ＡのＩＶ−ＩＶ線における断面図である。
【図５】図１ＡのＶ−Ｖ線における要部拡大断面図である。
【図６】本発明の使用状態を説明するための要部斜視図である。
【図７】本発明の使用状態を説明するための要部平面図である。
【発明を実施するための形態】
【００１６】
以下、本発明の好適な一実施形態を、添付図面に従って説明する。
本発明のカバー１は、図１等に示されるように、シャツ２の袖２ａを被せる袖立３の芯材４に巻き付けるマット状部材５を覆うものである。
【００１７】
芯材４は、金属板で横断面楕円形の筒状に形成されている。また芯材４は、この実施形態では上端から下端に渡って径が同一に形成されている。またマット状部材５は、この実施形態ではシリコンマットで、長方形に形成されている。
【００１８】
而して、本発明品は、上記のマット状部材５を抱えて支持するバンド６を備えて形成されている。このバンド６は、この実施形態では布製であり、カバー１の裏側で、且つ芯材４の周方向に対応する短幅方向の中央位置に、カバー１の長手方向の一端から他端に渡しかけられて設けられている。
【００１９】
またバンド６は、この実施形態では一端６ａから他端６ｂに渡って同じ幅に形成され、マット状部材５を支持できるよう、幅が４〜５センチメートルに選定されている。バンド６の一端６ａと他端６ｂは、カバー１の長手方向の一端と他端に縫い付けられている。
【００２０】
袖立３は、図１Ｂに示されるように、カバー１がマット状部材５を備えた状態でバンド６の幅面を横断面楕円形の芯材４の短径方向と平行になるよう向けて装着されている。カバー１は、この実施形態ではクッション質に形成されている。具体的には、マット状部材５とほぼ同じ大きさのフェルトで形成されている。
【００２１】
而して、この種の仕上げ機の場合、袖立３には、図２に示されるように、エアで膨張する空気袋７ａを備えたカバー７が被せられることが多い。このカバー７は、袖立３に被せられる筒状部７ｂを備えて形成されている。この筒状部７ｂと空気袋７ａは、縫い付けられている。なお、７ｃは、空気の供給口である。
【００２２】
上記の筒状部７ｂは、上端７ｂ１から下端７ｂ２に向かって末広がりのテーパー状に形成されている。従って、これによると、袖立３に筒状部７ｂを被せ易くなる。またこの筒状部７ｂによって、マット状部材５やカバー１の巻き戻しが防止される。
【００２３】
而して、この実施形態の場合、筒状部７ｂの上端７ｂ１の直径は、９０ミリメートルに、また下端７ｂ２の直径は、１１０ミリメートルに選定されている。下端７ｂ２は、袖立３に被せることができるよう、開口されている。また筒状部７ｂの高さ（全長）は、６００ミリメートルに形成されている。
【００２４】
なお、図３は、袖立３を備えたシャツ２の袖仕上げ機である。袖立３は、同図に示されるように、左右一対状に設けられ、シリンダ８で後方に傾倒可能に形成されている。９は、袖立３の後方に設けられているプレス鏝である。
【００２５】
また１０は、クランパ―である。袖立３に被せられた袖２ａのカフス２ｂは、このクランパ―１０の挟み付け片１０ａでカフスセット部３ａに固定される。また１１は、シャツ２の袖２ａと袖２ａの間の箇所を押え付けるシャツ押えである。
【００２６】
次に、本発明の使用例を説明する。
作業者は、図６に示されるように、カバー１とバンド６との間に、マット状部材５を差し入れ、カバー１の裏側にマット状部材５を重合させる。これにより、マット状部材５は、バンド６で抱えられて支持される。
【００２７】
次に、作業者は、図７に示されるように、マット状部材５を備えた状態のカバー１を、筒状の芯材４に巻き付ける。この場合、作業者は、バンド６の幅面を、横断面楕円形の芯材４の短径方向と平行になるよう向けて芯材４に巻き付けるのが良い。
【００２８】
これは、バンド６等が段差の原因になって、不用意な皴を、袖２ａに付けることを防止するためである。即ち、バンド６の幅面を、芯材４の長径方向と平行になるように向けて芯材４に巻き付けると、プレス鏝９が押圧する面である、芯材４の一方の側面にバンド６が配置され、また反対側の他方の側面にカバー1の巻き付け端が配置されるからである。
【００２９】
而して、作業者は、カバー１と一緒にマット状部材５を芯材４に巻き付けた後、カバー７を袖立３に被せる。具体的には、袖立３に筒状部７ｂを被せる。
【００３０】
これにより、マット状部材５の巻き戻しが筒状部７ｂで防止される。また筒状部７ｂは、テーパー状であるから、作業者は、袖立３にカバー７を密着させながら、楽に被せることができる。
その後、袖２ａは、プレス鏝９によるプレス圧と、空気袋７ａの緊張作用で仕上げられる。
【００３１】
以上の処において、上例ではバンド６が一端６ａから他端６ｂに渡って同じ幅に形成されているが、本発明はこれに限定されるものではない。即ち、バンド６は、例えば一端６ａから他端６ｂに向かって末広がりのテーパー状に形成され、幅広状の他端６ｂの側でマット状部材５を安定した状態で支持できるよう形成されているのでも良い。
またその他、バンド６は、マット状部材５をより確実に支持できるよう、カバー１の短幅方向に渡って並列状に複数設けられているのでも良い。
【符号の説明】
【００３２】
１      カバー
２      シャツ
２ａ    袖
３      袖立
４      芯材
５      マット状部材
６      バンド
【図１】
2016150176.tif 000003
【図２】
2016150176.tif 000004
【図３】
2016150176.tif 000005
【図４】
2016150176.tif 000006
【図５】
2016150176.tif 000007
【図６】
2016150176.tif 000008
【図７】
2016150176.tif 000009